(57)【要約】【課題】照明エリアを精度よく目標照度に一定制御する照明制御システムを提供する。【解決手段】制御部３３は、第１および第２の照度入力部２６，２７からそれぞれの照明エリア９の照度を入力し、当該照度が記憶部３０に記憶されている目標照度Ｌ０に略一致するように照明器具２の調光制御信号を演算生成するとともに、第１の照度入力部２６よりも第２の照度入力部２７から入力される照明エリア９の照度Ｌ２を優先して目標照度Ｌ０に略一致させ、この優先時に第１の照度入力部２６から入力される照明エリア９の照度Ｌ１を目標照度Ｌ０に略一致させるように変換定数Ｋ１を校正する。【選択図】図１
2004185876.tif 000002
【特許請求の範囲】
【請求項１】
調光可能な照明負荷を配設している照明器具と；
照明器具が照明する照明エリアの照度を主として照明エリアからの反射光により検出する照度センサ装置と；
照度センサ装置が検出する照明エリアからの反射光が変化したときに、主として照明器具からの直接光により照明エリアの照度を検出する照度測定装置と；
照度センサ装置から照明エリアの照度を入力する第１の照度入力部と、照度測定装置が検出した照明エリアの照度を入力する第２の照度入力部と、照明エリアの目標照度を記憶している記憶部と、第１および第２の照度入力部からそれぞれの照明エリアの照度を入力し、当該照度が記憶部に記憶されている目標照度に略一致するように照明器具の調光制御信号を演算生成するとともに、第１の照度入力部よりも第２の照度入力部から入力される照明エリアの照度を優先して目標照度に略一致させ、この優先時に第１の照度入力部から入力される照明エリアの照度を目標照度に略一致させるように変換定数を校正する制御部と、制御部により演算生成された調光制御信号を照明器具に伝送する伝送部を有する照明制御装置と；
を具備していることを特徴とする照明制御システム。
【請求項２】
調光可能な照明負荷を配設している照明器具と；
照明器具が照明する照明エリアの照度を主として照明エリアからの反射光により検出する照度センサ装置と；
照度センサ装置が検出する照明エリアからの反射光が変化したときに、主として照明器具からの直接光により照明エリアの照度を検出する照度測定装置と；
照度センサ装置から照明エリアの照度を入力する第１の照度入力部と、照度測定装置が検出した照明エリアの照度を入力する第２の照度入力部と、照明エリアの目標照度およびこの目標照度が設定されたときの第２の照度入力部に入力された照明エリアの照度を記憶している記憶部と、第１および第２の照度入力部からそれぞれの照明エリアの照度を入力し、第１の照度入力部から入力された照度が記憶部に記憶されている目標照度に略一致するように照明器具の調光制御信号を演算生成するとともに、記憶部から目標照度が設定されたときの第２の照度入力部に入力された照明エリアの照度を読み出して前記反射光が変化したときの第２の照度入力部に入力された照明エリアの照度との照度比を算出し、この照度比に応じて目標照度を変更させ、この変更した目標照度を前記反射光が変化したときの第２の照度入力部に入力された照明エリアの照度とともに記憶部に記憶させる制御部と、制御部により演算生成された調光制御信号を照明器具に伝送する伝送部を有する照明制御装置と；
を具備していることを特徴とする照明制御システム。
【請求項３】
照度測定装置は、第２の照度入力部に照明エリアの照度を送信する送信装置に一体的に形成されていることを特徴とする請求項１または２記載の照明制御装置。
【請求項４】
送信装置は、第２の照度入力部に照明エリアの照度をワイヤレス信号により送信するリモコン装置であり、照度測定装置は、当該リモコン装置に内蔵され、かつ照度を検出する光センサ部が照度の検出方向とワイヤレス信号の送信方向が略一致するように配設されていることを特徴とする請求項３記載の照明制御システム。
【請求項５】
照度測定装置は、第２の照度入力部に照明エリアの照度を送信する送信装置に伝送線を介して接続可能であり、当該伝送線を介して照明エリアの照度を送信装置に送出することを特徴とする請求項１または２記載の照明制御装置。
【発明の詳細な説明】
【０００１】
【発明の属する技術分野】本発明は、照明エリアの照度を目標照度に制御する照明制御システムに関する。
【０００２】
【従来の技術】照度センサを用いて机上面や床面などの被照射面の照度を一定に制御することが行われている。従来、照度センサは、物理上の問題から天井面などの造営物に配設され、床面や壁面などの反射光を検出し、当該反射光を被照射面の照度に相関させている。ここで、床面に設置している机などの設置物の位置が変更されると、照度センサに入力される反射光が変化して被照射面の照度が変化されるので、一般的に、被照射面の照度の補正が行われている。
【０００３】
そして、上記照度の補正を一人で効率的に行える照明制御システムが提供されている（例えば、特許文献１参照。）。この照明制御装置５０は、図８に示すように、調光制御装置５１と、照明エリアの照度を測定し、その測定照度を調光制御装置５１に送出する照度センサ５２と、調光制御装置５１から調光レベル信号を受けて、照明器具５３の照度を設定する調光端末器５４とを多重伝送線Ｌを介して接続することで構成している。また、照度センサ５２は、ワイヤレス設定器５５との間でワイヤレス通信できる構成となっている。
【０００４】
そして、照明エリアの実照度は、作業者により照度計で測定され、ワイヤレス設定器５５から照度センサ５２にワイヤレス送信される。調光制御装置５１は、ワイヤレス設定器５５からの実照度と、照度センサ５２による測定照度とを所定の演算式に基づいて演算処理して、所定の補正比を算出し、測定照度にこの補正比を乗算した数値を照明エリアの照度と認識するものである。これにより、作業者は、一人でワイヤレス設定器５５を操作するだけで、調光制御装置５１に対して照度補正をさせることができる。
【０００５】
【特許文献１】特開２００２−７５６６４号公報（第３頁、第１図）
【０００６】
【発明が解決しようとする課題】特許文献１によると、照度センサ５２による測定照度に補正比を乗算した数値が照明エリアの照度となるので、当該数値を目標照度に一致させるように調光レベル信号を演算生成することにより、照明エリアを目標照度に制御可能である。しかしながら、補正比は、照明エリアの任意の照度において算出されており、目標照度で算出することに言及していない。
【０００７】
照明エリアの照度の変動に対して、照度センサ５２に入射される反射光が比例的に変動せず、照度センサ５２による測定照度の誤差が大きくなりやすい。したがって、目標照度における照明エリアの実照度および照度センサ５２による測定照度が求められないと、目標照度での補正比の信頼性が低くなるという欠点がある。
【０００８】
また、特許文献１は、照明エリアの実照度を照度計で読み取り、ワイヤレス設定器５５に手入力してワイヤレス送信するので、実照度に誤差が発生するおそれや読み取りおよび手操作に手間を要するという欠点を有する。
【０００９】
本発明は、照明エリアを精度よく目標照度に一定制御する照明制御システムを提供することを目的とする。
【００１０】
【課題を解決するための手段】請求項１に記載の照明制御システムの発明は、調光可能な照明負荷を配設している照明器具と；照明器具が照明する照明エリアの照度を主として照明エリアからの反射光により検出する照度センサ装置と；照度センサ装置が検出する照明エリアからの反射光が変化したときに、主として照明器具からの直接光により照明エリアの照度を検出する照度測定装置と；照度センサ装置から照明エリアの照度を入力する第１の照度入力部と、照度測定装置が検出した照明エリアの照度を入力する第２の照度入力部と、照明エリアの目標照度を記憶している記憶部と、第１および第２の照度入力部からそれぞれの照明エリアの照度を入力し、当該照度が記憶部に記憶されている目標照度に略一致するように照明器具の調光制御信号を演算生成するとともに、第１の照度入力部よりも第２の照度入力部から入力される照明エリアの照度を優先して目標照度に略一致させ、この優先時に第１の照度入力部から入力される照明エリアの照度を目標照度に略一致させるように変換定数を校正する制御部と、制御部により演算生成された調光制御信号を照明器具に伝送する伝送部を有する照明制御装置と；を具備していることを特徴とする。
【００１１】
本発明および以下の各発明において、特に言及しない限り、各構成は以下による。
【００１２】
照度センサ装置は、少なくとも照度センサを具備していればよい。
【００１３】
照度測定装置は、照明エリアの実際の照度を直接的に検出するものであればよく、周知の照度計を包含する。そして、例えば、作業を行う机上面や作業面あるいはその近くに配設される。
【００１４】
照明エリアは、目標照度Ｌ０となるように一定制御されており、例えば照度センサ装置により検出された照明エリアの照度（Ｌ１）に変換定数Ｋ１が乗算された照度値が目標照度Ｌ０に制御される。また、照度測定装置により検出された照明エリアの照度（Ｌ２）に変換定数Ｋ２が乗算された照度値が目標照度Ｌ０に制御される。目標照度Ｌ０、変換定数Ｋ１および変換定数Ｋ２は、それぞれ一定であるので、目標照度Ｌ０に対して照明エリアの照度（Ｌ１），（Ｌ２）の照度値がそれぞれ決定される。
【００１５】
照明エリア内に設置された机や作業台等の移動などにより照明エリア内の雰囲気や環境が変化すると、照明エリアの実際の照度は略一定あるいは小さな変化であるのに対し、照度センサ装置が検出する照明エリアの照度（Ｌ１）は変化することがある。すなわち、照明エリアからの反射光が変化することがある。
【００１６】
照度センサ装置が検出する照明エリアの照度（Ｌ１）が変化すると、照明エリアの実際の照度（実照度）が変化していなくても、照明制御装置の制御部は、照明エリアの照度（Ｌ１）に変換定数Ｋ１が乗算された照度値が目標照度Ｌ０となるように照明器具の調光制御信号を変化させる。この結果、照明器具からの光出力が変化する。すなわち、制御部は、照明エリアからの反射光が増加して照度センサ装置が検出する照明エリアの照度（Ｌ１）が大きくなると、照明エリアからの反射光を減少させるために照明器具からの光出力を減少させ、逆に、照明エリアからの反射光が減少して照度センサ装置が検出する照明エリアの照度（Ｌ１）が小さくなると、照明エリアからの反射光を増加させるために照明器具からの光出力を増加させる。これにより、照明エリアは、実際の目標照度Ｌ０で照明されなくなる。したがって、変換定数Ｋ１の校正を行う。
【００１７】
変換定数Ｋ１の校正は、照明エリアからの反射光が変化する前の状態であり、照明エリアが実際の目標照度Ｌ０で照明されているときに行う。すなわち、制御部は、照度測定装置が検出した照明エリアの照度（Ｌ２）に応じて照明エリア内の照度値が目標照度Ｌ０となるように一定制御する。このとき、照度センサ装置が検出する照明エリアの照度（Ｌ１）が変化している。この変化した照明エリアの照度（Ｌ１）に乗算したときの照度値が目標照度Ｌ０となるように、変換定数Ｋ１の校正値を算出する。これにより、目標照度Ｌ０に対する照明エリアの照度（Ｌ１）の照度値および変換定数（Ｋ１）が新しく設定され、制御部は、照度センサ装置が検出する照明エリアの照度（Ｌ１）に応じて照明エリアの照度を目標照度Ｌ０に一定制御する。
【００１８】
「略一致」とは、厳密な一致に捕われなくするために用いたものであり、一致を包含するものである。また、「照明エリアの照度を目標照度に略一致させる」とは、照明エリアの照度に変換定数が乗じられた値を目標照度に略一致させることを意味する。
【００１９】
本発明によれば、照明エリアの照度が目標照度に制御された後に、照度センサ装置が検出した照明エリアの照度を目標照度に略一致させるように変換定数が校正されるので、以後、照度センサ装置が検出した照明エリアの照度に応じて、照明エリアは精度よく目標照度に一定制御される。
【００２０】
請求項２に記載の照明制御システムの発明は、調光可能な照明負荷を配設している照明器具と；照明器具が照明する照明エリアの照度を主として照明エリアからの反射光により検出する照度センサ装置と；照度センサ装置が検出する照明エリアからの反射光が変化したときに、主として照明器具からの直接光により照明エリアの照度を検出する照度測定装置と；照度センサ装置から照明エリアの照度を入力する第１の照度入力部と、照度測定装置が検出した照明エリアの照度を入力する第２の照度入力部と、照明エリアの目標照度およびこの目標照度が設定されたときの第２の照度入力部に入力された照明エリアの照度を記憶している記憶部と、第１および第２の照度入力部からそれぞれの照明エリアの照度を入力し、第１の照度入力部から入力された照度が記憶部に記憶されている目標照度に略一致するように照明器具の調光制御信号を演算生成するとともに、記憶部から目標照度が設定されたときの第２の照度入力部に入力された照明エリアの照度を読み出して前記反射光が変化したときの第２の照度入力部に入力された照明エリアの照度との照度比を算出し、この照度比に応じて目標照度を変更させ、この変更した目標照度を前記反射光が変化したときの第２の照度入力部に入力された照明エリアの照度とともに記憶部に記憶させる制御部と、制御部により演算生成された調光制御信号を照明器具に伝送する伝送部を有する照明制御装置と；を具備していることを特徴とする。
【００２１】
照明エリアからの反射光が変化すると、照度センサ装置が検出する照明エリアの照度（Ｌ１）が増減するので、制御部は、当該照明エリアの照度（Ｌ１）を目標照度Ｌ０に略一致させるために、照明器具の光出力を減光または増光させる。この結果、照明エリアは、実際の目標照度Ｌ０に照明されなくなる。すなわち、照明エリアからの反射光が変化する前後において、照明測定装置が検出する照明エリアの照度（Ｌ２）は変化する。ここで、照明エリアからの反射光が変化する前後の当該照明エリアの照度（Ｌ２）の照度比に応じて、目標照度を変更し、この変更した目標照度に対して照度センサ装置が検出した照明エリアの照度（Ｌ１）を略一致させると、照明エリアは、実際の目標照度Ｌ０に照明される。すなわち、照明エリアからの反射光が変化する前の当初の目標照度Ｌ０で、照明エリアを照明可能である。
【００２２】
「照度比に応じて目標照度を変更させる」とは、照度比が照明エリアからの反射光が変化する前の照明測定装置が検出した照明エリアの照度（Ｌ２）を反射光が変化した後の照明エリアの照度（Ｌ２）で除算して算出したときは、反射光が変化する前の目標照度Ｌ０に照度比が除算して新しい目標照度が算出され、照度比が反射光の変化後の照明エリアの照度（Ｌ２）を反射光の変化前の照明エリアの照度（Ｌ２）で除算して算出したときは、反射光が変化する前の目標照度Ｌ０に照度比が乗算して新しい目標照度が算出されることを意味する。
【００２３】
本発明によれば、照明エリアからの反射光が変化した前後における照明測定装置が検出した照明エリアの照度の照度比が算出され、この照度比に応じて目標照度が変更され、以後、変更した目標照度に対して照度センサ装置が検出した照明エリアの照度を略一致させるように制御させるので、照明エリアの照度は、当初設定した目標照度に精度よく一定制御される。
【００２４】
請求項３に記載の照明制御システムの発明は、請求項１または２記載の照明制御装置において、照度測定装置は、第２の照度入力部に照明エリアの照度を送信する送信装置に一体的に形成されていることを特徴とする。
【００２５】
本発明によれば、照度測定装置は、送信装置に一体的に形成されているので、取り扱いやすいとともに、照度測定装置が検出した照明エリアの照度を直ちに照度センサ装置に送信しやすい。
【００２６】
請求項４に記載の照明制御システムの発明は、請求項３記載の照明制御システムにおいて、送信装置は、第２の照度入力部に照明エリアの照度をワイヤレス信号により送信するリモコン装置であり、照度測定装置は、当該リモコン装置に内蔵され、かつ照度を検出する光センサ部が照度の検出方向とワイヤレス信号の送信方向が略一致するように配設されていることを特徴とする。
【００２７】
本発明によれば、照度測定装置は、リモコン装置に内蔵され、かつ照度を検出する光センサ部が照度の検出方向とワイヤレス信号の送信方向が略一致するように配設されているので、机上面や作業面などの被照射面に照度測定装置を配置することにより、照明エリアの照度が検出されて照度センサ装置に送信される。したがって、照明エリアの照度の読み取りや送信の手間が軽減される。
【００２８】
請求項５に記載の照明制御システムの発明は、請求項１または２記載の照明制御装置において、照度測定装置は、第２の照度入力部に照明エリアの照度を送信する送信装置に伝送線を介して接続可能であり、当該伝送線を介して照明エリアの照度を送信装置に送出することを特徴とする。
【００２９】
本発明によれば、照度測定装置および送信装置が伝送線を介して接続されると、照度測定装置で検出した照明エリアの照度は、伝送線を介して送信装置に伝送され、送信装置から照度センサ装置に送信される。したがって、照明エリアの照度の送信の手間が軽減される。
【００３０】
【発明の実施の形態】以下、本発明の一実施の形態について、図面を参照して説明する。まず、本発明の第１の実施形態について説明する。
【００３１】
図１〜図５は、本発明の第１の実施形態を示し、図１は照明制御システムの構成図、図２は照度センサ装置の斜視図、図３は照明制御装置のブロック構成図、図４は照度測定装置の概略正面図、図５は照明制御装置の動作を示すフロー図である。
【００３２】
照明制御システム１は、図１に示すように、照明器具２、照度センサ装置３、照度測定装置４および照明制御装置５を有して構成されている。照明制御装置５は、照度センサ装置３に一体化されている。そして、照明器具２および照度センサ装置３は、天井面６に配設されている。
【００３３】
照明器具３は、天井面６に直付けされ、調光可能な照明負荷としての蛍光ランプ７を配設しているとともに、内部に蛍光ランプ７を調光点灯させる点灯装置８を配設している。そして、通常、複数の照明器具２が天井面６に配設されており、複数の照明器具２による照明により所定の照明エリア９が形成されている。
【００３４】
点灯装置８は、高周波点灯装置であり、照明制御装置５から伝送される調光制御信号例えばＰＷＭ調光信号に応じて蛍光ランプ７を調光点灯させる。すなわち、蛍光ランプ７は、照明制御装置５により光出力が制御される。この光出力に応じて照明エリア９の照度は変化する。
【００３５】
照度センサ装置３は、図２に示すように、センサ装置本体１０、カバー１１および取付ばね１２，１２等を有して形成されている。そして、カバー１１は、外表面１１ａに露出するようにして、照度センサ１３、人体検出センサ１４、受信素子１５、送信用ＬＥＤ１６および表示用ＬＥＤ１７などが配設されている。また、センサ装置本体１０は、内部に照明制御装置５（図示しない。）を収納し、側面１０ａに端子群１８を配設している。端子群１８は、照明制御装置５と照明器具２の点灯装置８を接続する出力端子などにより形成されている。
【００３６】
照度センサ１３は、照明器具２が照明する照明エリア９からの主として反射光により当該照明エリア９の照度を間接的に検出し、照明制御装置５に送出するように構成されている。人体検出センサ１４は、照明エリア９に近づく人体を検出して照明制御装置５を介して蛍光ランプ７を点灯させるものである。
【００３７】
受信素子１５は、例えばＣｄＳにより形成され、送信装置としてのリモコン装置１９から送信される照明エリアの照度や各種制御信号などを受信して照明制御装置５に送出するように構成されている。そして、送信用ＬＥＤ１６は、照明制御装置５から送出された返信信号などをリモコン装置１９に向けて送信するものである。表示用ＬＥＤ１７は、照明制御装置５や照度センサ１３など、照度センサ装置３が正常に動作しているときに点灯するものである。
【００３８】
このように、照度センサ装置３は、照明器具２が照明する照明エリア９の照度を主として照明エリア９からの反射光により検出する照度センサ１３を具備している。
【００３９】
照度測定装置４は、図４に示すように、周知の照度計であり、光センサ部としての受光器２０が照明器具２側を向くようにして照明エリア９内の机上面などの被照射面に配設される。受光部２０には、本実施形態では照明器具２からの照射光が直接的に入射され、壁面等からの反射光の入射は極小とする。したがって、照度測定装置４は、照明エリア９の実照度を測定するものであり、主として照明器具２からの直接光により照明エリア９の照度を検出する。
【００４０】
照度測定装置４およびリモコン装置１９には、それぞれ外部端子（図示しない。）が設けられており、この外部端子に着脱可能に伝送線２１が接続されている。そして、照度測定装置４は、照明エリア９の照度（実照度）を検出すると、この実照度を表示部２２に表示させるとともに、伝送線２１を介してリモコン装置１９に伝送するように構成されている。ここで、リモコン装置１９への伝送は、自動的に、あるいは表面上に設けられた操作ボタン（図示しない。）の押操作によることができる。
【００４１】
そして、照度測定装置４は、照明エリア９内に配置されている机や作業台などの移動等により、照度センサ装置３が検出する照明エリア９からの反射光が変化したときに照明エリア９内に配設することができる。
【００４２】
リモコン装置１９は、送信部２３、表示部２４および操作入力部２５を有して構成されている。そして、照度測定装置４から伝送された照明エリア９の実照度は、表示部２４に表示されるとともに、操作入力部２５の送信ボタン（図示しない。）を押操作することにより、送信部２３から照度センサ装置３の受信素子１５に向かって送信される。
【００４３】
また、リモコン装置１９は、蛍光ランプ７を点消灯させるオンオフ制御信号や調光させる調光制御信号、目標照度を設定または解除する設定信号または解除信号などの制御信号およびアドレス信号などを送信するとともに、点灯装置８の調光下限値や蛍光ランプ７の調光率の状況、目標照度の設定の有無など、照明制御装置５からの返信信号を受信するように構成されている。
【００４４】
照明制御装置５は、図３に示すように、第１の照度入力部２６、第２の照度入力部を構成するワイヤレス受信部２７、ワイヤレス送信部２８、人体検出部２９、記憶部３０、伝送部３１、電源部３２および制御部３３を有して構成されている。
【００４５】
第１の照度入力部２６は、照度センサ装置３の照度センサ１３に電気接続され、照度センサ１３の出力電圧を入力して制御部３３に送出するように構成されている。ここで、照度センサ１３の出力電圧は、照明器具２が照明する照明エリア９の照度と相関している。すなわち、第１の照度入力部２６には、照度センサ装置３の照度センサ１３が検出した照明エリア９の照度が入力される。
【００４６】
ワイヤレス受信部（第２の照度入力部）２７は、受信素子１５に接続され、リモコン装置１９から送信された照度測定装置４が検出した照明エリア９の照度を入力して制御部３３に送出するように構成されている。また、リモコン装置１９から送信されたオンオフ制御信号や調光制御信号などの照明制御信号、目標照度の設定信号や解除信号などの外部信号およびアドレス信号などが入力されて制御部３３に送出される。
【００４７】
ワイヤレス送信部２８は、送信用ＬＥＤ１６に接続され、制御部３３から送出された返信信号を送信用ＬＥＤ１６からリモコン装置１９に向かって送信させるように構成されている。
【００４８】
人体検出部２９は、人体検出センサ１４に接続され、人体検出センサ１４が検出した人体の検出信号を制御部３３に送出するように構成されている。制御部３３は、人体検出部２３から人体の検出信号が入力されると、蛍光ランプ７を点灯させる照明制御信号を伝送部３１から伝送線３４を介して照明器具２に伝送させる。
【００４９】
記憶部３０は、照明エリア９の目標照度や点灯装置８の調光下限値などの諸データが記憶される。目標照度は、例えばリモコン装置１９から設定される。
【００５０】
伝送部３１は、リモコン装置１９から送信されワイヤレス受信部２７に入力された照明制御信号などの他、制御部３３により演算生成された調光制御信号を照明器具２に伝送線３４を介して伝送するように構成されている。
【００５１】
電源部３２は、商用交流電源Ｖｓに接続され、交流電圧を直流電圧に変換すると共に、所定の電圧値に調整して、制御部３３やその他の回路部に駆動電源を供給するように構成されている。
【００５２】
制御部３３は、ＣＰＵおよびプログラムが格納されたＲＯＭなどを具備している。そして、制御部３３は、第１の照度入力部２６から照度センサ装置３が検出した照明エリア９の照度（Ｌ１）を入力し、ワイヤレス受信部（第２の照度入力部）２７から照度測定装置４が検出した照明エリアの照度（Ｌ２）を入力する。そして、照明エリア９の照度（Ｌ１）に変換定数Ｋ１を乗じた照度値または照明エリア９の照度（Ｌ２）に変換定数Ｋ２を乗じた照度値が記憶部３０に記憶されている目標照度Ｌ０に略一致するように照明器具２の調光制御信号を演算生成して、伝送部３１から照明器具２の点灯装置８に伝送させる。そして、照明エリア９の照度（Ｌ１）および照明エリア９の照度（Ｌ２）が同時に入力している時は、照明エリア９の照度（Ｌ１）よりも照明エリア９の照度（Ｌ２）を優先して目標照度Ｌ０に略一致させるように制御する。
【００５３】
照度センサ装置３が検出する照明エリア９の照度（Ｌ１）および目標照度Ｌ０との関係式は、Ｌ１＊Ｋ１＝Ｌ０であるので、制御部３３は、照度センサ装置３が検出する照明エリア９の照度（Ｌ１）が照度値Ｌ１ａ＝Ｌ０／Ｋ１となるように照明器具２の調光制御信号を演算生成し、照明器具２の光出力を変化させる。すなわち、照明エリア９が目標照度Ｌ０で照明されているとき、照度センサ装置３が検出する照明エリア９の照度値は、上記Ｌ１ａ（Ｌ０／Ｋ１）に予め設定されている。
【００５４】
同じく、照度測定装置４が検出する照明エリア９の照度（Ｌ２）および目標照度Ｌ０との関係式は、Ｌ２＊Ｋ２＝Ｌ０であるので、制御部３３は、照度測定装置４が検出する照明エリア９の照度（Ｌ２）が照度値Ｌ２ａ＝Ｌ０／Ｋ２となるように制御する。すなわち、照明エリア９が目標照度Ｌ０で照明されているとき、照度測定装置４が検出する照明エリア９の照度値は、上記照度値Ｌ２ａ（Ｌ０／Ｋ２）に予め設定されている。
【００５５】
照明エリア９が目標照度Ｌ０で照明されているときに、照明エリア９内に配置されている机や作業台などが移動するなどして照明エリア９内の環境や雰囲気が変化すると、照明エリア９から照度センサ装置３の照度センサ１３に向かう反射光が変化する。この反射光が変化すると、照度センサ装置３が検出する照明エリア９の照度（Ｌ１）が変化し、その照度値は、照度値Ｌ１ａ（Ｌ０／Ｋ１）より増減する。制御部３３は、照明エリア９の照度（Ｌ１）の照度値が照度値Ｌ１ａ（Ｌ０／Ｋ１）に略一致するように、照明器具２の光出力を増減させる。この結果、照明エリア９は、目標照度Ｌ０で照明されなくなる。
【００５６】
照明エリア９内の環境や雰囲気が変化して、照明エリア９からの反射光が変化したときに、照明エリア９内に照度測定装置４が配設される。そして、制御部３３は、照度センサ装置３が検出した照明エリア９の照度（Ｌ１）よりも優先して、照度測定装置４が検出する照明エリア９の照度（Ｌ２）の照度値が予め設定されている照度値Ｌ２ａ（Ｌ０／Ｋ２）に略一致するように制御し、照明エリア９を目標照度Ｌ０で照明させる。
【００５７】
上記優先時において、照度センサ装置３が検出した照明エリア９の照度（Ｌ１）の照度値は、照度値Ｌ１ａ（Ｌ０／Ｋ１）から増減した照度値Ｌ１ｂに変化している。ここで、制御部３３は、照度値Ｌ１ｂを目標照度Ｌ０に略一致させるように変換定数Ｋ１を校正する。すなわち、照度センサ装置３が検出する照明エリア９の照度（Ｌ１）および目標照度Ｌ０との関係式Ｌ１＊Ｋ１＝Ｌ０において、変換定数Ｋ１を変換定数Ｋ１ａ＝Ｌ０／Ｌ１ｂに変更する。そして、制御部３３は、照度センサ装置３が検出する照明エリア９の照度（Ｌ１）が照度値Ｌ１ｂ＝Ｌ０／Ｋ１ａとなるように照明器具２の調光制御信号を演算生成し、照明器具２の光出力を変化させる。すなわち、照明エリア９が目標照度Ｌ０で照明されるとき、照度センサ装置３が検出する照明エリア９の照度値を照度値Ｌ１ｂ（Ｌ０／Ｋ１ａ）に変更するものである。これにより、照明エリア９からの反射光が変化した後、照度センサ装置３が検出した照明エリア９の照度（Ｌ１）に応じて、照明エリア９は目標照度Ｌ０で一定に照明される。
【００５８】
なお、照明制御装置５は、図２に示すように、照度センサ装置３と一体的である必要はなく、別体であってもよい。
【００５９】
以下、照明制御装置５の動作について、図５に示すフロー図にしたがい説明する。
【００６０】
壁スイッチ等がオン（電源ＯＮ）されると、電源部３２に商用交流電源Ｖｓより交流電圧が供給され、照明制御装置５が動作する（ステップＳ１）。すると、制御部３３は、記憶部３０に記憶されている目標照度Ｌ０および消灯前あるいは予め設定された蛍光ランプ７の調光率を読み出し（ステップＳ２）、当該調光率で蛍光ランプ７を点灯させる（ステップＳ３）。これにより、照明エリア９は照明される。
【００６１】
制御部３３は、第１の照度入力部２６から照度センサ装置３が検出した照明エリア９の照度（Ｌ１）を入力し（ステップＳ４）、この照度（Ｌ１）に変換定数Ｋ１を乗じた照度値を算出して目標照度Ｌ０に略一致しているか否かを判断する（ステップＳ５）。そして、当該照度値が目標照度Ｌ０に略一致していないと、照明器具２の調光制御信号を演算生成して、伝送部３１から照明器具２に伝送して蛍光ランプ７の調光率を変化させる（ステップＳ６）。そして、ステップＳ３に戻り、照度センサ装置３が検出した照明エリア９の照度（Ｌ１）の照度値が照度値Ｌ１ａとなるまで繰り返される。
【００６２】
照度センサ装置３が検出した照明エリア９の照度（Ｌ１）の照度値が照度値Ｌ１ａ（Ｌ０／Ｋ１）であると、この照度値Ｌ１ａに変換定数Ｋ１を乗じた照度値は、目標照度Ｌ０に略一致しているので、制御部３３は、ワイヤレス受信部（第２の照度入力部）２７から照度測定装置４が検出した照明エリア９の照度（Ｌ２）が入力されているか否かを判断する（ステップＳ７）。そして、ワイヤレス受信部２７から照明エリア９の照度（Ｌ２）が入力されていないと、ステップＳ３に戻り、以降、ステップＳ３〜ステップＳ７による制御を行う。すなわち、照明エリア９からの反射光の変化がなく、照明エリア９は、照度センサ装置３が検出した照明エリア９の照度（Ｌ１）に応じて目標照度Ｌ０に一定制御される。
【００６３】
そして、制御部３３は、ワイヤレス受信部２７に照度測定装置４が検出した照明エリア９の照度（Ｌ２）が入力されていると、第１の照度入力部２６よりも優先して、ワイヤレス受信部２７から照明エリア９の照度（Ｌ２）を入力する（ステップＳ８）。
【００６４】
そして、照明エリア９の照度（Ｌ２）に変換定数Ｋ２を乗じた照度値を算出して目標照度Ｌ０に略一致しているか否かを判断する（ステップＳ９）。そして、当該照度値が目標照度Ｌ０に略一致していないと、蛍光ランプ７の調光率を変化させ（ステップＳ１０）、この調光率により蛍光ランプ７を点灯させる（ステップＳ１１）。そして、ステップＳ８に戻り、照度測定装置４が検出した照明エリア９の照度（Ｌ２）の照度値が照度値Ｌ２ａ（Ｌ０／Ｋ２）となるまで繰り返される。これにより、照明エリア９は、目標照度Ｌ０で照明される。
【００６５】
照明エリア９が目標照度Ｌ０で照明されると、制御部３３は、第１の照度入力部２６から照度センサ装置３が検出している照明エリア９の照度（Ｌ１）を入力する（ステップＳ１２）。そして、照明エリア９の照度（Ｌ１）の照度値Ｌ１ｂに基づいて、変換定数Ｋ１ａを算出し、変換定数Ｋ１を変換定数Ｋ１ａに上書きして記憶部３０に記憶させる（ステップＳ１３）。すなわち、変換定数Ｋ１が変換定数Ｋ１ａに校正される。そして、ステップＳ３に戻る。これにより、照明エリア９からの反射光が変化した後において、照度センサ装置３が検出した照明エリア９の照度（Ｌ１）に応じて、照明エリア９は目標照度Ｌ０で一定に照明される。
【００６６】
上述したように、照明制御システム１は、照明エリア９からの反射光が変化した後、照明エリア９の実照度が目標照度Ｌ０に制御されて、このときに照度センサ装置３が検出した照明エリア９の照度（Ｌ１）を目標照度Ｌ０に略一致させるように変換定数Ｋ１が変換定数Ｋ１ａに校正（変更）されるので、以後、照度センサ装置３が検出した照明エリア９の照度（Ｌ１）に応じて、照明エリア９の実照度は、精度よく目標照度Ｌ０に制御される。
【００６７】
次に、本発明の第２の実施形態について述べる。
【００６８】
図６は、本発明の第２の実施形態を示す照明制御装置の動作を示すフロー図である。なお、図１〜図５と同一部分には同一符号を付して説明は省略する。
【００６９】
図６に示す動作の照明制御装置は、図３に示す照明制御装置５と同様な構成であり、制御部３３による制御方法が以下のとおり異なるものである。
【００７０】
照明エリア９が目標照度Ｌ０で照明されているとき、照度センサ装置３が検出する照明エリア９の照度（Ｌ１）の照度値は、照度値Ｌ１ａ（Ｌ０／Ｋ１）である。また、照度測定装置４が検出する照明エリア９の照度（Ｌ２）の照度値は、照度値Ｌ２ａ（Ｌ０／Ｋ２）である。
【００７１】
そして、照明エリア９の反射光が変化し、照度センサ装置３の照度センサ１３に入射する反射光が変化すると、照度センサ装置３が検出する照明エリア９の照度（Ｌ１）が変化するが、制御部３３は、照明エリア９の照度（Ｌ１）の照度値が照度値Ｌ１ａ（Ｌ０／Ｋ１）となるように、照明器具２の光出力を変化させる。この結果、照明エリア９の実照度は、目標照度Ｌ０でなくなる。すなわち、実質的に、目標照度Ｌ０が目標照度Ｌ３に変化している。このとき、照度測定装置４が検出する照明エリア９の照度（Ｌ２）の照度値は、照度値Ｌ２ｂ（Ｌ３／Ｋ２）である。
【００７２】
目標照度Ｌ０から目標照度Ｌ３に変化しているときに、照度測定装置４が検出する照明エリア９の照度（Ｌ２）の照度値は、照度値Ｌ２ａ（Ｌ０／Ｋ２）から照度値Ｌ２ｂ（Ｌ３／Ｋ２）に変化している。ここで、関係式Ｌ３＝Ｌ０＊Ｌ２ｂ／Ｌ２ａが成立するので、照明エリア９の目標照度を上記関係式の目標照度Ｌ３に設定することにより、照明エリア９からの反射光の変化を補正することができる。すなわち、実質的に、照明エリア９からの反射光が変化する前の目標照度Ｌ０で照明エリア９が照明される。このために、制御部３３は、照明エリア９からの反射光が変化する前後の照度測定装置４が検出した照明エリア９の照度比（Ｌ２ｂ／Ｌ２ａ）を算出して、この照度比を目標照度Ｌ０に乗算して新しい目標照度Ｌ３を設定する。すなわち、目標照度Ｌ０の変更が行われ、変更された目標照度Ｌ３は、照度値Ｌ２ｂとともに記憶部３０に上書きされて記憶される。
【００７３】
以下、照明制御装置の動作について、図６に示すフロー図にしたがい説明する。
【００７４】
ステップＳ１〜ステップＳ８までは、図５において説明したとおりである。ステップＳ１４において、照明エリア９の照度（Ｌ２）に変換定数Ｋ２を乗じた照度値が目標照度Ｌ０に略一致していると、照明エリア９からの反射光が変化していない場合や当該反射光による影響が小さい場合であり、ステップＳ３に戻り、照明エリア９は、照度センサ装置３が検出した照明エリア９の照度（Ｌ１）に応じて目標照度Ｌ０に一定制御される。
【００７５】
そして、当該照度値が目標照度Ｌ０に略一致していないと、制御部３３は、目標照度Ｌ０が設定されたときの照度測定装置４が検出した照明エリア９の照度（Ｌ２）の照度値Ｌ２ａを記憶部３０から読み出す（ステップＳ１５）。そして、現時点の照度測定装置４が検出した照明エリア９の照度（Ｌ２）の照度値Ｌ２ｂとの照度比（Ｌ２ｂ／Ｌ２ａ）を算出して（ステップＳ１６）、この照度比（Ｌ２ｂ／Ｌ２ａ）を目標照度Ｌ０に乗算して新しい目標照度Ｌ３に変更させる（ステップＳ１７）。そして、新しい目標照度Ｌ３および現時点の照度測定装置４が検出した照明エリア９の照度（Ｌ２）の照度値Ｌ２ｂを記憶部３０に記憶させて（ステップＳ１８）、ステップＳ３に戻り、以後、照度センサ装置３が検出した照明エリア９の照度（Ｌ１）に応じて、照明エリア９は目標照度Ｌ３で一定に照明される。このとき、照明エリア９の実照度は、照明エリア９からの反射光が変化する前の照度になっている。
【００７６】
上述したように、照明エリア９からの反射光が変化した前後における照明測定装置４が検出した照明エリア９の照度比（Ｌ２ｂ／Ｌ２ａ）が算出され、この照度比（Ｌ２ｂ／Ｌ２ａ）に応じて目標照度Ｌ０が変更され、以後、変更した目標照度Ｌ３に対して照度センサ装置３が検出した照明エリア９の照度（Ｌ１）を略一致させるように制御させるので、照明エリア９からの反射光の変化後においても、照明エリア９は、当初設定した目標照度Ｌ０に相当する照度で一定制御される。
【００７７】
なお、照度測定装置４に照明エリア９からの反射光が変化する前であって、目標照度Ｌ０が設定されたときの照明エリア９の実照度を記憶させ、当該実照度を、目標照度Ｌ０の変更時に検出している照明エリア９の照度（Ｌ２）とともにリモコン装置１９から照度センサ装置３に送信し、制御部３３で前記照度比を算出させることもできる。また、前記照度比を照度測定装置４において演算し、演算した照度比を送信することも可能である。しかしながら、これらの場合、複数の照明器具２に対するアドレスを付加するので、照明エリア９の実照度を記憶させる操作が煩雑であるとともに、前記実照度を記憶させた照度測定装置４の紛失等を防止するための管理を要するという欠点を有する。
【００７８】
また、前記照度比は、照明エリア９からの反射光が変化する前後の照度センサ装置３が検出する照度（Ｌ１）の照度比（Ｌ１ａ／Ｌ１ｂ）によって算出可能である。しかしながら、照度センサ装置３が検出する照明エリア９の照度（Ｌ１）は、不安定で精度が低いので、算出した照度比の信頼性に欠けるという欠点を有する。
【００７９】
次に、本発明の第３の実施形態について述べる。
【００８０】
図７は、本発明の第３の実施形態を示す照度測定装置の概略正面図である。なお、図４と同一部分には同一符号を付して説明は省略する。
【００８１】
図７に示す照度測定装置３５は、リモコン装置１９に内蔵されて一体化され、かつ照明エリア９の照度を検出する光センサ部３６が当該照度の検出方向とワイヤレス信号の送信方向が略一致するように表面に臨んで配設されている。
【００８２】
照明エリア９の環境や雰囲気の変化により、照度測定装置４を机上面や作業面などの被照射面に配置するのみで、照明エリア９の実照度が検出されて照度センサ装置３に送信される。したがって、照明エリア９の実照度の読み取りや送信の手操作が軽減可能であるので、取り扱いやすいとともに、省力化が図れる。
【００８３】
なお、第１〜第３の実施形態において、送信装置としてリモコン装置１９を用いて説明したが、有線で照明制御装置５の外部入力部（図示しない。）に接続される外部設定器であってもよい。外部設定器においても、リモコン装置１９と同様な作用、効果が得られる。
【００８４】
【発明の効果】請求項１の発明によれば、照明エリアの照度が目標照度に制御された後に、照度センサ装置が検出した照明エリアの照度を目標照度に略一致させるように変換定数が校正されるので、以後、照度センサ装置が検出した照明エリアの照度に応じて、照明エリアを精度よく目標照度に制御することができる。
【００８５】
請求項２の発明によれば、照明エリアからの反射光が変化した前後における照明測定装置が検出した照明エリアの照度の照度比が算出され、この照度比に応じて目標照度が変更され、以後、変更した目標照度に対して照度センサ装置が検出した照明エリアの照度を略一致させるように制御させるので、照明エリアの照度を当初設定した目標照度に精度よく一定制御することができる。
【００８６】
請求項３の発明によれば、照度測定装置は、送信装置に一体的に形成されているので、取り扱いやすく、照度測定装置が検出した照明エリアの照度を直ちに照度センサ装置に送信することができる。
【００８７】
請求項４の発明によれば、照度測定装置は、リモコン装置に内蔵され、かつ照度を検出する光センサ部が照度の検出方向とワイヤレス信号の送信方向が略一致するように配設されているので、机上面や作業面などの被照射面に照度測定装置を配置することにより、照明エリアの照度が検出されて照度センサ装置に送信することができる。
【００８８】
請求項５の発明によれば、照度測定装置および送信装置が伝送線を介して接続されると、照度測定装置で検出した照明エリアの照度は、伝送線を介して送信装置に伝送され、送信装置から照度センサ装置に送信されるので、照明エリアの照度の読み取りや送信の手操作を軽減することができる。
【図面の簡単な説明】
【図１】本発明の第１の実施形態を示す照明制御システムの構成図。
【図２】同じく、照度センサ装置の斜視図。
【図３】同じく、照明制御装置のブロック構成図。
【図４】同じく、照度測定装置の概略正面図。
【図５】同じく、照明制御装置の動作を示すフロー図。
【図６】本発明の第２の実施形態を示す照明制御装置の動作を示すフロー図。
【図７】本発明の第３の実施形態を示す照度測定装置の概略正面図。
【図８】特許文献１の照明制御システムの要部を示す構成図。
【符号の説明】
１…照明制御システム、２…照明器具、３…照度センサ装置、４，３５…照明測定装置、５…照明制御装置
【図１】
2004185876.tif 000003
【図２】
2004185876.tif 000004
【図３】
2004185876.tif 000005
【図４】
2004185876.tif 000006
【図５】
2004185876.tif 000007
【図６】
2004185876.tif 000008
【図７】
2004185876.tif 000009
【図８】
2004185876.tif 000010